(57)【特許請求の範囲】
【請求項１】
スラブ上に載置される弾性台座と、該弾性台座の上に載置される支持脚と、該支持脚にて支持される床下地パネルのサイズ（厚さ×長さ×幅）を２０×９０８×６００ｍｍとして床への衝撃入力が拡散されることなく支持脚へと伝搬させるようにし、該床下地パネルの上に敷設されるとともに幅木と縁切りし床下空気層に直接つながる隙間が形成されて敷設される床材と、前記スラブと前記床下地パネルとの間に形成される床下空気層とで、構成されてなる乾式二重床において、
前記弾性台座を、反発弾性率が３０％以下であって圧縮永久歪が５％以下であるとともに、圧縮強さが１０％圧縮で０．０３〜０．３０Ｎ／ｍｍ2、引張強さが０．３〜１．０Ｎ／ｍｍ2、伸びが２００％、燃焼性のグレードがＨＢＦ（遅燃性、規格：ＵＬ９４）である高減衰粘弾性のエーテル系混合セルポリウレタンである特殊ポリウレタン防振材で、その厚さを１８ｍｍに形成したこと、
を特徴とする乾式二重床。
【請求項２】
際根太と壁との隙間の寸法を、床衝撃入力によって床下空気層の空気が床上へ空気抜きされるのを促進すべく、２０ｍｍに設定したこと、
を特徴とする請求項１に記載の乾式二重床。
【発明の詳細な説明】
【技術分野】
【０００１】
本発明は、集合住宅等の建物における、床仕上げ構造としての乾式二重床に関するものである。
【背景技術】
【０００２】
建物の床仕上げ構造として、近年、乾式二重床にすることが多くなっている。この乾式二重床の従来の構造において、支持脚方式としては、隣接する下地パネルを共通の支持脚で支持する共通支持脚方式と、独立したテーブル状の下地パネルが複数の支持脚に支持される独立支持脚方式とがある。また、乾式二重床における床衝撃音に関しては、床衝撃音遮断性能を決定する周波数が、軽量床衝撃音（堅くて軽い衝撃によって発生する音）では多くの場合１２５Ｈｚ、または、２５０Ｈｚ帯域となり、重量床衝撃音（柔らかくて重い衝撃によって発生する音）では多くの場合６３Ｈｚ帯域となり、性能決定周波数が異なっている。
本願は、支持脚方式として共通支持脚方式であって、床衝撃音として重量床衝撃音に係る乾式二重床の遮音性能改良に係る発明である。
【０００３】
従来の乾式二重床構造１０は、図９乃至図１０に示すように、コンクリートスラブ等の基礎床（スラブ２は、一例として厚さ２００ｍｍ）の床面に、ゴム等の弾性台座３ａ，３ｂを有して、支持脚同士の間隔を＠４５０×６００ｍｍまたは＠６００×６００ｍｍ程度とした支持脚４により、床下地パネル５ａを所定の高さレベルに支持して二重床の床下地を形成し、敷設された各床下地パネルの下に、ポリエステル不織布やグラスウールなどの吸音材を配設すると共に、形成された床下地の上に、ゴムアスファルトからなる制振遮音性シートを敷設し、その上に、床材（床仕上げ材）６としてフローリングを敷設してなるものが知られている（特許文献１参照）。
【先行技術文献】
【特許文献】
【０００４】
【特許文献１】特開平１０−２５９６５８号公報
【発明の概要】
【発明が解決しようとする課題】
【０００５】
しかし、従来の乾式二重床１０においては、重量床衝撃音レベルがスラブ素面に対して１ランク（５ｄB）程度悪化するとともに、床衝撃音遮断性能を確保するために、スラブを厚くするか、二重床の面材の制振遮音性シートを敷設して質量、剛性を増す必要がある。更に、歩行時の振動により、家具や食器などのがたつき音が生じるという課題がある。本発明に係る乾式二重床は、このような課題を解決するために提案されたものである。
【課題を解決するための手段】
【０００６】
本発明に係る乾式二重床の上記課題を解決して目的を達成するための要旨は、スラブ上に載置される弾性台座と、該弾性台座の上に載置される支持脚と、該支持脚にて支持される床下地パネルのサイズ（厚さ×長さ×幅）を２０×９０８×６００ｍｍとして床への衝撃入力が拡散されることなく支持脚へと伝搬させるようにし、該床下地パネルの上に敷設されるとともに幅木と縁切りし床下空気層に直接つながる隙間が形成されて敷設される床材と、前記スラブと前記床下地パネルとの間に形成される床下空気層とで、構成されてなる乾式二重床において、前記弾性台座を、反発弾性率が３０％以下であって圧縮永久歪が５％以下であるとともに、圧縮強さが１０％圧縮で０．０３〜０．３０Ｎ／ｍｍ2、引張強さが０．３〜１．０Ｎ／ｍｍ2、伸びが２００％、燃焼性のグレードがＨＢＦ（遅燃性、規格：ＵＬ９４）である高減衰粘弾性のエーテル系混合セルポリウレタンである特殊ポリウレタン防振材で、その厚さを１８ｍｍに形成したことである。
【０００７】
前記床下地パネルの長手方向の大きさにおいて、床への衝撃入力が拡散されることなく支持脚へと伝播させるべく、長手方向の寸法を標準サイズの約半分としたことである。
【０００８】
更に、前記乾式二重床における際根太と壁との隙間の寸法を、床衝撃入力によって床下空気層の空気が床上へ空気抜きされるのを促進すべく、既存の設定値よりも大きくしたことである。
【発明の効果】
【０００９】
本発明の乾式二重床によれば、支持脚の弾性台座の防振材として、圧縮強さや引張強さ及び伸び等の最低値を限定した衝撃吸収性に優れた特殊ポリウレタン防振材を用い、耐候性、耐水性、耐久性を向上させ、床下地材を短くして、衝撃入力の拡散を抑制するとともに、衝撃入力が直下の支持脚に伝達しやすくし、更に、壁との間のクリアランス、つまり床下地パネルの上に敷設される床材と幅木とを縁切りして敷設し、床下空気層に直接つながる隙間を大きくして床下空気層の空気抜けを良くすること、及び床下地パネルのサイズを従来技術よりも小さくすることで、床への衝撃入力が拡散されることなく支持脚へと伝搬させ、床衝撃音を一層低減させることができる。これにより、重量床衝撃音レベルを従来の乾式二重床に対して１ランク改善することができる。また、この本発明に係る乾式二重床を用いれば、従来よりもスラブ厚を薄くしたり、二重床の面材を軽減することができる。それにより、施工性の改善、材料費の削減を図ることができる。
【００１０】
また、弾性台座を特殊ポリウレタン防振材にしたので、衝撃吸収性が良く、歩行時の床振動を最小限に抑えるとともに、家具等のがたつきを抑え、軽快な歩行感を得ることができると言う優れた効果を奏するものである。
【図面の簡単な説明】
【００１１】
【図１】本発明に係る乾式二重床１の一部拡大縦断面図である。
【図２】同本発明の乾式二重床１において、従来の長手方向の長さを約半分の長さにした床下地パネル５を支持脚４で支持している部分の短手方向の一部拡大縦断面図である。
【図３】同本発明に係る乾式二重床１における、床下地パネル５の敷設状態を示す平面図（Ａ）と、従来の床下地パネル５ａの敷設状態を示す平面図（Ｂ）である。
【図４】スラブ２ｂが、ボイド２ａを有する構造であることを示す断面図である。
【図５】同本発明に係る乾式二重床１において、公的試験機関での床衝撃音低減量の試験結果を示す特性曲線図である。
【図６】同本発明に係る乾式二重床１と従来の乾式二重床１０とを、図４に示すスラブ厚３００ｍｍ、ボイド２ａ有りのスラブ２ｂ上に施工して現場実験し、比較した床衝撃音レベル低減量の相対値を示す特性曲線図である。
【図７】同本発明に係る乾式二重床１と従来の乾式二重床１０とを、スラブ厚２００ｍｍのスラブ２の上に施工して現場実験し、比較した床衝撃音レベル低減量の相対値を示す特性曲線図である。
【図８】同本発明に係る乾式二重床１の、床面の振動応答特性における変位量を示す特性曲線図である。
【図９】従来例に係る乾式二重床１０の一部縦断面図である。
【図１０】同従来例の乾式二重床１０において、床下地パネル５ａを支持脚４で支持している部分の短手方向の一部拡大縦断面図である。
【発明を実施するための形態】
【００１２】
本発明に係る乾式二重床１は、図１に示すように、スラブ２の素面に載置する弾性台座３を、特殊ポリウレタン防振材により形成して、重量床衝撃音レベルを従来の乾式二重床１０（図９参照）に対して１ランク改善させるものである。
【実施例１】
【００１３】
本発明に係る乾式二重床１は、図１に示すように、スラブ２上に載置される弾性台座３と、該弾性台座３の上に載置される支持脚４と、該支持脚４と支持板４ａとにて支持される床下地パネル５と、該床下地パネル５の上に敷設されるとともに、壁８側の幅木７と縁切りされて敷設される床材（床仕上げ材）６と、前記スラブ２と前記床下地パネル５との間に形成される床下空気層Ａとで構成されてなる。
【００１４】
前記スラブ２は、鉄筋コンクリート（ＲＣ）造であって、そのスラブ厚は、例えば、２００ｍｍであり、若しくは、図４に示す現場実験では、一例としてボイド２ａを有する厚さ３００ｍｍのスラブ２ｂである。
【００１５】
前記弾性台座３は、反発弾性率Ｒ（＝（ｈ２／ｈ１）×１００％、規格：JISK6255）が３０％以下であって、圧縮永久歪（ENISO1856）が５％以下であるとともに、高減衰粘弾性のエーテル系混合セルポリウレタンである特殊ポリウレタン防振材で形成したものである。本発明に係る乾式二重床１の要部をなすものである。更に詳細については後述する。
【００１６】
前記支持脚４は、金属製若しくは合成樹脂製であり、ねじ溝を有して軸回りに回転させることで、高さ調節ができるようになっている。尚、この支持脚４の下で、際根太９の支持部においては、ゴム（ＳＢＲ、硬度が約７０°）等の弾性台座３ａが設置されている。符号４ａは、共通支持脚方式における支持脚４と床下地パネル５との間に介装される矩形状の支持板を示している。
【００１７】
前記床下地パネル５は、その厚さがｔ＝２０ｍｍのパーティクルボードである。図２乃至図３（Ａ）に示すように、床下地パネル５の長手方向の大きさにおいて、床への衝撃入力が拡散されることなく支持脚４へと伝播させるべく、長手方向の寸法を標準サイズの約半分とし、短くしている。具体的には、前記床下地パネル５の大きさを９０８×６００ｍｍとした。従来では、図３（Ｂ）に示すように、床下地パネル５ａの寸法は、１８２０×６００ｍｍであった。
【００１８】
このように、前記床下地パネル５の長手方向の大きさが、９０８ｍｍと従来の約半分になったので、床の衝撃入力が前記床下地パネル５によって周囲に拡散されずに、支持脚４を通して前記弾性台座３へと伝搬される。それにより、弾性台座３を形成する特殊ポリウレタン防振材のエネルギー吸収性能が発揮されて、振動エネルギーが効率的に吸収される。
【００１９】
前記床材（床仕上げ材）６は、その厚さｔ＝１２ｍｍのフローリングである。これにより、図１に示す乾式二重床１の床高さは、１２０ｍｍである。また、床下空気層Ａの厚さ（上下方向）は、約８８ｍｍとなっている。
【００２０】
図１に示す前記際根太９と壁８との隙間ａ１の寸法を、床衝撃入力によって床下空気層Ａの空気が床上へ空気抜きされるのを促進すべく、既存の設定値よりも大きくしている。具体的は、隙間ａ１＝２０ｍｍと設定されており、図９に示す従来例の乾式二重床１０における設定値である、隙間ａ２＝１０ｍｍに対して、２倍の広い隙間となっている。尚、前記隙間ａ１，ａ２において、図示するように、立方体の緩衝材（ウレタンなど）が、間隔を置いて適宜に嵌装されている。
【００２１】
前記隙間ａ１による大きなクリアランンスが際根太９と壁８との間に確保されて、厚さ（上下方向）が約８８ｍｍと、層厚が薄い床下空気層Ａの空気抜きがスムーズに行われるようになって、この床下空気層Ａがバネとして作用しないようにされて、床衝撃音の低減性能の低下が防止される。
【００２２】
このような構造の乾式二重床１における、要部である弾性台座３について説明する。この弾性台座３は、上記した通り、反発弾性率が３０％以下であって圧縮永久歪が５％以下であるとともに、圧縮強さが１０％圧縮で０．０３〜０．３０Ｎ／ｍｍ２、引張強（最低値）が０．３〜１．０Ｎ／ｍｍ２、伸び（最低値）が２００％、燃焼性のグレードがＨＢＦ（遅燃性、規格：ＵＬ９４）、高減衰粘弾性のエーテル系混合セルポリウレタンの特殊ポリウレタン防振材であって、この実施例において、その厚さが一例として１８ｍｍで、耐候性、耐水性、耐久性（５０年以上）に優れたものである。
【００２３】
このような弾性台座３を使用した本発明に係る乾式二重床１と、従来の乾式二重床１０を比較すると、図５に示すように、公的試験機関によるΔＬ等級は、ΔＬＨ（II）−３となっており、従来のΔＬＨ−２のレベルから１ランク向上している。重量床衝撃音レベルの決定周波数である６３Ｈｚにおいて、ΔＬＨ−３の値を上回る良い結果となっており、他の周波数における値も全てΔＬＨ−３の値を上回る良い結果となっている。
【００２４】
また、図６に示す床衝撃音レベル低減量相対値は、スラブを図４に示すボイド２ａ（大きさの一例として、４００×１３０ｍｍ、ピッチ５５０ｍｍ）有りのスラブ２ｂとして、本発明に係る乾式二重床１と従来の乾式二重床１０とを施工した場合の現場実験において、床衝撃音レベル低減量を比較した値である。床衝撃音レベルの決定周波数である６３Ｈｚ帯域で、本発明に係る乾式二重床１は、従来の乾式二重床１０よりも床衝撃音が３〜４ｄＢ程度小さいという、良い結果が得られた。
【００２５】
なお、図中の洋室データは、洋室の床にタイヤ衝撃源（JISA1418-２規定、以下同じ）で衝撃を加え、下の洋室の中央で衝撃音を測定したものである。また、図中の廊下データは、廊下の床面にタイヤ衝撃源で衝撃を加え、下の洋室で衝撃音を測定したものである。
【００２６】
更に、図７に示す床衝撃音レベル低減量相対値は、スラブ厚さ２００ｍｍとして、本発明に係る乾式二重床１と従来の乾式二重床１０とを施工した場合の現場実験において、床衝撃音低減レベル低減量を比較した値である。床衝撃音レベルの決定周波数である６３Ｈｚ帯域で、本発明に係る乾式二重床１は、従来の乾式二重床１０よりも床衝撃音が約４ｄＢ程度小さく、上記と同様の良い結果であった。このように、本発明に係る乾式二重床1では、スラブ２の厚さによる影響が少ないものである。
【００２７】
図８に示すように、衝撃加振時の床面の振動応答特性（加振点から、振動の反応が良く現れる１ｍ離れた距離の地点で測定）は、乾式二重床１の床面の変位量が従来床よりも小さく、減衰に係る時間も早いものである。
【産業上の利用可能性】
【００２８】
本発明に係る乾式二重床１によれば、衝撃音吸収に優れた乾式二重床として集合住宅・オフィスビル等に広く適用できるものである。
【符号の説明】
【００２９】
１          乾式二重床、
２          スラブ、                        ２ａ        ボイド、
２ｂ        スラブ（ボイド２ａ有り）、
３          弾性台座、  
３ａ        従来の弾性台座（ゴム硬度７０°）、
３ｂ        従来の弾性台座（ゴム硬度６５°）、
４          支持脚、                        ４ａ        支持板、
５          床下地パネル、                  ５ａ        従来の床下地パネル、
６          床材（床仕上げ材）、                          
７          幅木、                      
８          壁、
９          際根太、
１０        従来例に係る乾式二重床、
Ａ          床下空気層、                    
ａ１，ａ２  際根太と壁との隙間、
ｂ          幅木と床材との隙間。
【図１】
0006470923.tif 000002
【図２】
0006470923.tif 000003
【図３】
0006470923.tif 000004
【図４】
0006470923.tif 000005
【図５】
0006470923.tif 000006
【図６】
0006470923.tif 000007
【図７】
0006470923.tif 000008
【図８】
0006470923.tif 000009
【図９】
0006470923.tif 000010
【図１０】
0006470923.tif 000011